(57)【要約】【課題】飛散物が掘削孔の外部に飛散することを抑制することが可能となる、カバー具を提供すること。【解決手段】カバー具２０は、掘削孔１内に位置する運搬対象Ｔを引き上げるクレーンに吊り下げられた把持具１０に取り付けられるカバー具であって、複数のシート片を含むカバーシート３０であって、把持具１０によって把持された運搬対象Ｔがクレーンによって引き上げられた引上げ状態において、把持具１０の一部を覆うことが可能なカバーシート３０と、カバーシート３０を把持具１０に対して着脱自在に取り付けるための取付部６０とを備え、引上げ状態において運搬対象Ｔが掘削孔１に落下することにより飛散物が掘削孔１の外部に飛散することをカバーシート３０によって抑制可能となるように、カバーシート３０を構成した。【選択図】図１
2020090853.tif 000002
【特許請求の範囲】
【請求項１】
掘削孔内に位置する運搬対象を引き上げるクレーンに吊り下げられた把持手段に取り付けられるカバー具であって、
複数のシート片を含むカバーシートであって、前記把持手段によって把持された前記運搬対象が前記クレーンによって引き上げられた引上げ状態において、少なくとも前記把持手段の一部を覆うことが可能なカバーシートと、
前記カバーシートを前記把持手段に対して着脱自在に取り付けるための取付手段と、を備え、
前記引上げ状態において前記運搬対象が前記掘削孔に落下することにより飛散物が前記掘削孔の外部に飛散することを前記カバーシートによって抑制可能となるように、前記カバーシートを構成した、
カバー具。
【請求項２】
前記カバーシートは、
前記複数のシート片からなる第１カバーシートであって、前記引上げ状態において少なくとも前記把持手段の一部を覆うことが可能な第１カバーシートと、
前記第１カバーシートとは別体に設けられた第２カバーシートであって、前記引上げ状態において少なくとも前記運搬対象の一部を覆うことが可能な第２カバーシートと、を備える、
請求項１に記載のカバー具。
【請求項３】
前記複数のシート片は、
複数の内側シート片と、
前記複数の内側シート片よりも外側に配置された複数の外側シート片と、を備える、
請求項２に記載のカバー具。
【請求項４】
前記第２カバーシートは、
本体部と、
前記本体部の外縁形状を維持するためのフレーム部と、を備える、
請求項２又は３に記載のカバー具。
【請求項５】
前記第２カバーシートを、折り畳み可能に形成した、
請求項２から４のいずれか一項に記載のカバー具。
【請求項６】
前記第２カバーシートを折り畳むための折畳手段を備えた、
請求項５に記載のカバー具。
【請求項７】
前記第２カバーシートを、前記引上げ状態において前記運搬対象を視認可能な材料にて形成した、
請求項２から６のいずれか一項に記載のカバー具。
【発明の詳細な説明】
【技術分野】
【０００１】
本発明は、カバー具に関する。
【背景技術】
【０００２】
従来、掘削孔内の土砂がクレーンによって運搬される際に、クレーンに取り付けられたバケットであって土砂を把持するバケットに付着した汚泥が外部に飛散することを防止するための技術の一つとして、土砂が把持されたバケットが地上に引き上げられている状態において、側面にメッシュシートが貼設されている養生籠によってバケットの上側部分の周縁のみを覆う技術が提案されている（例えば、特許文献１参照）。
【先行技術文献】
【特許文献】
【０００３】
【特許文献１】特開平１０−１５９４７６号公報
【発明の概要】
【発明が解決しようとする課題】
【０００４】
しかしながら、上述した従来の技術においては、上述したように、バケットが地上に引き上げられている状態において、養生籠がバケットの上側部分の周縁のみを覆うものに過ぎないので、例えば、バケットによって把持された土砂が落下することで当該落下に伴って掘削孔内の汚泥が上方に向けて飛散した場合には、養生籠によって汚泥の飛散を抑制することが難しいことから、汚泥の飛散を抑制する観点からは改善の余地があった。
【０００５】
本発明は、上記に鑑みてなされたものであって、飛散物が掘削孔の外部に飛散することを抑制することが可能となる、カバー具を提供することを目的とする。
【課題を解決するための手段】
【０００６】
上述した課題を解決し、目的を達成するために、請求項１に記載のカバー具は、掘削孔内に位置する運搬対象を引き上げるクレーンに吊り下げられた把持手段に取り付けられるカバー具であって、複数のシート片を含むカバーシートであって、前記把持手段によって把持された前記運搬対象が前記クレーンによって引き上げられた引上げ状態において、少なくとも前記把持手段の一部を覆うことが可能なカバーシートと、前記カバーシートを前記把持手段に対して着脱自在に取り付けるための取付手段と、を備え、前記引上げ状態において前記運搬対象が前記掘削孔に落下することにより飛散物が前記掘削孔の外部に飛散することを前記カバーシートによって抑制可能となるように、前記カバーシートを構成した。
【０００７】
請求項２に記載のカバー具は、請求項１に記載のカバー具において、前記カバーシートは、前記複数のシート片からなる第１カバーシートであって、前記引上げ状態において少なくとも前記把持手段の一部を覆うことが可能な第１カバーシートと、前記第１カバーシートとは別体に設けられた第２カバーシートであって、前記引上げ状態において少なくとも前記運搬対象の一部を覆うことが可能な第２カバーシートと、を備える。
【０００８】
請求項３に記載のカバー具は、請求項２に記載のカバー具において、前記複数のシート片は、複数の内側シート片と、前記複数の内側シート片よりも外側に配置された複数の外側シート片と、を備える。
【０００９】
請求項４に記載のカバー具は、請求項２又は３に記載のカバー具において、前記第２カバーシートは、本体部と、前記本体部の外縁形状を維持するためのフレーム部と、を備える。
【００１０】
請求項５に記載のカバー具は、請求項２から４のいずれか一項に記載のカバー具において、前記第２カバーシートを、折り畳み可能に形成した。
【００１１】
請求項６に記載のカバー具は、請求項５に記載のカバー具において、前記第２カバーシートを折り畳むための折畳手段を備えた。
【００１２】
請求項７に記載のカバー具は、請求項２から６のいずれか一項に記載のカバー具において、前記第２カバーシートを、前記引上げ状態において前記運搬対象を視認可能な材料にて形成した。
【発明の効果】
【００１３】
請求項１に記載のカバー具によれば、引上げ状態において運搬対象が掘削孔に落下することにより飛散物が掘削孔の外部に飛散することをカバーシートによって抑制可能となるように、カバーシートを構成したので、引上げ状態において運搬対象が掘削孔に落下しても、カバーシートによって飛散物が掘削孔の外部に飛散することを抑制でき、掘削孔付近の敷地付近において飛散物による被害が生じることを回避できる。また、カバーシートを把持手段に対して着脱自在に取り付けるための取付手段を備えるので、カバーシートを把持手段に対して着脱自在に取り付けることができ、状況に応じてカバーシートの取り付け又は取り外しを簡易に行うことが可能となる。
【００１４】
請求項２に記載のカバー具によれば、カバーシートが、複数のシート片からなる第１カバーシートであって、引上げ状態において少なくとも把持手段の一部を覆うことが可能な第１カバーシートを備えるので、引上げ状態において運搬対象が掘削孔に落下しても、第１カバーシートによって飛散物が掘削孔の外部に飛散することを抑制でき、掘削孔付近の敷地付近において飛散物による被害が生じることを回避できる。また、カバーシートが、引上げ状態において少なくとも運搬対象の一部を覆うことが可能な第２カバーシートを備えるので、引上げ状態において第２カバーシートによって運搬対象の略全体を覆うことができ、運搬対象をクレーンによって掘削孔の外部に位置する運搬位置まで運搬する際に運搬対象に付着した付着物（例えば、泥土、泥水）が周辺に飛散することを抑制できる。さらに、第１カバーシートとは別体に設けられた第２カバーシートであるので、第１カバーシート及び第２カバーシートを一体に形成した場合に比べて、カバーシートの取扱いが容易となる。
【００１５】
請求項３に記載のカバー具によれば、複数のシート片が、複数の内側シート片と、複数の内側シート片よりも外側に配置された複数の外側シート片と、を備えるので、第１カバーシートを二層構造に形成でき、第１カバーシートを一層構造に形成した場合に比べて飛散物が掘削孔の外部に飛散することを抑制しやすくなる。
【００１６】
請求項４に記載のカバー具によれば、第２カバーシートが、本体部と、本体部の外縁形状を維持するためのフレーム部と、を備えるので、フレーム部によって本体部の外縁形状を維持でき、例えば運搬対象が落下した際に本体部が当該落下している運搬対象に巻き込まれることを抑制できる。
【００１７】
請求項５に記載のカバー具によれば、第２カバーシートを、折り畳み可能に形成したので、クレーンによって運搬位置まで運搬された運搬対象を把持手段から解放する解放作業を行う場合に、第２カバーシートを折り畳んだ状態で運搬対象を視認しながら解放作業を行うことができる。よって、運搬対象を所望位置に正確に解放できると共に、解放された運搬対象と第２カバーシートとが接触することを回避しやすくなる。
【００１８】
請求項６に記載のカバー具によれば、第２カバーシートを折り畳むための折畳手段を備えたので、引上げ状態において第２カバーシートを容易且つ安全に折り畳むことができ、カバー具の使用性を高めやすくなる。
【００１９】
請求項７に記載のカバー具によれば、第２カバーシートを、引上げ状態において運搬対象を視認可能な材料にて形成したので、引上げ状態において運搬対象を確実に視認することができ、クレーンによる運搬対象の引き上げや運搬を安全に行うことが可能となる。
【図面の簡単な説明】
【００２０】
【図１】本発明の実施の形態に係るカバー具及び把持具の概要を示す正面図である。
【図２】カバー具を示す図であり、（ａ）は分解正面図、（ｂ）は平面図である。
【図３】運搬方法の取付工程を示す図である。
【図４】運搬方法の運搬工程を示す図であり、（ａ）は運搬対象を引き上げた状態を示す図、（ｂ）は運搬位置まで運搬している状態を示す図である。
【図５】運搬方法の巻上工程を示す図である。
【図６】運搬方法の解放工程を示す図である。
【図７】カバー具の変形例を示す図であって、図１に対応する領域を示す図である。
【発明を実施するための形態】
【００２１】
以下に添付図面を参照して、この発明に係るカバー具の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２２】
〔Ｉ〕実施の形態の基本的概念
まず、実施の形態の基本的概念について説明する。実施の形態は、概略的に、掘削孔内に位置する運搬対象を引き上げるクレーンに吊り下げられた把持手段に取り付けられるカバー具に関する。
【００２３】
ここで、「掘削孔」とは、地盤を掘削することにより形成された孔であり、例えば、杭埋設用掘削孔、地盤改良用孔等を含む概念である。また、「運搬対象」とは、クレーンによって運搬される対象を意味し、例えば、掘削孔内に位置する建物の躯体や既存杭の一部又は全部、岩石、又は土砂等を含む概念である。また、「把持手段」とは、運搬対象を把持するためのものを意味し、例えば、単索式グラブバケット（一例として、ハンマーグラブ等）、油圧式グラブバケット、複索式グラブバケット等を含む概念である。
【００２４】
〔ＩＩ〕実施の形態の具体的内容
次に、実施の形態の具体的内容について説明する。
【００２５】
（構成）
最初に、実施の形態に係るカバー具２０の構成と、このカバー具が取り付けられる把持具１０の構成とについて説明する。
【００２６】
（構成−把持具）
まず、把持具１０の構成について説明する。図１は、本発明の実施の形態に係るカバー具２０及び把持具１０の概要を示す正面図である。ここで、図１のＸ方向をカバー具２０の左右方向又は幅方向（−Ｘ方向をカバー具２０の左方向、＋Ｘ方向をカバー具２０の右方向）、図２のＹ方向をカバー具２０の前後方向（＋Ｙ方向をカバー具２０の前方向、−Ｙ方向をカバー具２０の後方向）、図１のＺ方向をカバー具２０の上下方向（＋Ｚ方向をカバー具２０の上方向、−Ｚ方向をカバー具２０の下方向）と称する。
【００２７】
把持具１０は、運搬対象Ｔ（例えば、地下に埋設された躯体や既存杭等）を把持する把持手段である。この把持具１０は、例えば公知のハンマーグラブ等を用いて構成されており、接続部材１５（例えば、ワイヤ、鎖等）を介して後述する図４のクレーンＫによって吊り下げられており、図１に示すように、把持部１１、開閉部１２、接続部１３、及び支持部１４を備えている。
【００２８】
このうち、把持部１１は、運搬対象Ｔを把持するものであり、ピン結合され、且つ開閉自在な一対のシェル部１１ａを備えて構成されている。また、開閉部１２は、把持部１１を開閉させるためのものであり、例えば公知のハンマーグラブ用の開閉機構（一例として、滑車（図示省略）と、シーブ（図示省略）と、滑車及びシーブに掛け回された操作ワイヤ（図示省略）とを備える開閉機構）を用いて構成されており、図１に示すように把持部１１よりも上方に設けられ、把持部１１に対して接続されている。また、接続部１３は、接続部材１５を接続するためのものであり、例えば公知のブラケット材等を用いて構成されており、図１に示すように、開閉部１２よりも上方に設けられ、開閉部１２に対して接続されている。また、支持部１４は、把持部１１、開閉部１２、及び接続部１３を支持するものであり、複数の枠材を組み合わせることにより形成されており、図１に示すように、開閉部１２と接続部１３との相互間に設けられ、開閉部１２に対して接続されている。
【００２９】
このような把持具１０の動作については、操作ワイヤが巻き上げられると、一対のシェル部１１ａが閉鎖されることにより運搬対象Ｔが把持される。また、操作ワイヤが巻き下げられると、一対のシェル部１１ａが開放されることにより運搬対象Ｔが把持されている状態が解除される。
【００３０】
（構成−カバー具）
次に、カバー具２０の構成について説明する。図２は、カバー具２０を示す図であって、（ａ）は平面図、（ｂ）は正面図である。カバー具２０は、把持具１０によって把持された運搬対象ＴがクレーンＫによって引き上げられた状態（以下、「引上げ状態」と称する）において、運搬対象Ｔが掘削孔１に落下することにより飛散物（図示省略）が掘削孔１の外部に飛散することを抑制するためのものである。ここで、「飛散物」とは、運搬対象Ｔの落下に伴って掘削孔１から外部に飛散するものであり、例えば泥水、泥土等を含む概念である。このカバー具２０は、図１に示すように把持具１０に取り付けられており、図１、図２に示すようにカバーシート３０、取付部６０、及び折畳部７０を備えている。
【００３１】
（構成−カバー具−カバーシート）
図１に戻り、カバーシート３０は、引上げ状態において少なくとも把持具１０の一部を覆うためのものであり、図１、図２に示すように、第１カバーシート４０及び第２カバーシート５０を備えている。
【００３２】
（構成−カバー具−カバーシート−第１カバーシート）
第１カバーシート４０は、引上げ状態において少なくとも把持具１０の一部を覆うためのシートであり、取付部６０を介して把持具１０に設けられている。
【００３３】
この第１カバーシート４０の具体的な構成については任意であるが、実施の形態では、引上げ状態において少なくとも把持具１０の一部（図１では、把持具１０における接続部１３から開閉部１２の上端部に至る部分）を覆うことが可能となるように構成されている。
【００３４】
具体的には、複数のシート片（例えば公知の樹脂製の養生シート等）を用いて構成されており、より具体的には、図２（ｂ）に示すように、内側シート片４１ａ〜４１ｄと、内側シート片４１ａ〜４１ｄよりも外側において内側シート片４１ａ〜４１ｄを覆うように配置され外側シート片４２ａ〜４２ｄとを備えている。なお、内側シート片４１ａ〜４１ｄを特に区別する必要のないときは、単に「内側シート片４１」と総称すると共に、外側シート片４２ａ〜４２ｄを特に区別する必要のないときは、単に「外側シート片４２」と総称する。
【００３５】
また、内側シート片４１ａ〜４１ｄ及び外側シート片４２ａ〜４２ｄの具体的な形状及び大きさについては任意であるが、実施の形態では以下の通りに設定している。すなわち、内側シート片４１ａ〜４１ｄ及び外側シート片４２ａ〜４２ｄの各々の側面形状については、略台形状に設定している。また、内側シート片４１ａ〜４１ｄの幅（水平方向の長さ）については、把持具１０の直径よりも短く設定しており、内側シート片４１ａ〜４１ｄの高さ（上下方向の長さ）については、把持具１０の上下方向の長さよりも短く設定している。また、外側シート片４２ａ〜４２ｄの幅（水平方向の長さ）については、内側シート片４１の幅と略同一（又はその幅よりも長く）に設定しており、外側シート片４２ａ〜４２ｄの高さ（上下方向の長さ）については、内側シート片４１の上下方向の長さよりも短く設定している。
【００３６】
また、第１カバーシート４０の設置方法については任意であるが、実施の形態では、図１に示すように、第１カバーシート４０の下端部の高さが把持具１０の把持部１１の先端（具体的には、下端）の高さと一致するように配置している。このような設置方法により、引上げ状態において第２カバーシート５０が完全に折り畳まれた場合には運搬対象Ｔの略全体を外部に露出させることができ、引上げ状態における運搬対象Ｔの視認性を確保しやすくなる。
【００３７】
このような第１カバーシート４０の構成により、引上げ状態において運搬対象Ｔが掘削孔１に落下しても、第１カバーシート４０によって飛散物が掘削孔１の外部に飛散することを抑制でき、掘削孔１付近の敷地付近において飛散物による被害が生じることを回避できる。特に、第１カバーシート４０を二層構造に形成でき、第１カバーシート４０を一層構造に形成した場合に比べて飛散物が掘削孔１の外部に飛散することを抑制しやすくなる。
【００３８】
（構成−カバー具−カバーシート−第２カバーシート）
第２カバーシート５０は、引上げ状態において少なくとも運搬対象Ｔの一部を覆うためのシートであり、第１カバーシート４０とは別体に形成されており、取付部６０を介して把持具１０に設けられている。
【００３９】
この第２カバーシート５０の具体的な構成については任意であるが、実施の形態では、引上げ状態において少なくとも運搬対象Ｔの一部（図１では、運搬対象Ｔの略全体）を覆うことが可能となるように構成されている。具体的には、第２カバーシート５０は、折り畳み可能に形成されており、より具体的には、本体部５１及びフレーム部５２を有する公知のジャバラ風管等を用いて構成されている。このうち、本体部５１は、第２カバーシート５０の基本構造体であり、例えば筒状のシート材（一例として、公知の樹脂製の養生シート）等を用いて構成されており、図１、図２に示すように、第１カバーシート４０よりも下方位置に設けられている。また、フレーム部５２は、本体部５１の外縁形状を維持するためのものであり、例えば上下方向に伸縮可能なフレーム材（一例として、鋼製又は樹脂製の螺旋状の骨材）を用いて構成され、図１、図２に示すように、本体部５１の内部に設けられており、本体部５１に対して固定具等によって接続されている。
【００４０】
また、本体部５１及びフレーム部５２の具体的な形状及び大きさについては任意であるが、実施の形態では以下の通りに設定している。すなわち、本体部５１及びフレーム部５２の各々の平面形状については、略円環状に設定している。また、本体部５１の径については、把持具１０の外径と略同一に設定しており、本体部５１の高さ（上下方向の長さ）については、把持具１０の高さよりも高く設定している（例えば、把持具１０の高さの２倍から３倍程度の高さに設定してもよい）。また、フレーム部５２の径については、本体部５１の径と略同一に設定しており、フレーム部５２の径については、本体部５１の高さと略同一に設定している。
【００４１】
また、本体部５１の材質については任意であるが、例えば、引上げ状態において運搬対象Ｔを視認可能な材料にて形成してもよく、一例として、透明な樹脂材料にて形成してもよい。これにより、引上げ状態において運搬対象Ｔを確実に視認することができ、クレーンＫによる運搬対象Ｔの引き上げや運搬を安全に行うことが可能となる。ただし、これに限らず、例えば、引上げ状態において運搬対象Ｔを視認不能な材料にて形成してもよく、一例として、非透明な樹脂材料にて形成してもよい。
【００４２】
このような第２カバーシート５０の構成により、引上げ状態において第２カバーシート５０によって運搬対象Ｔの略全体を覆うことができ、運搬対象ＴをクレーンＫによって掘削孔１の外部に位置する運搬位置まで運搬する際に運搬対象Ｔに付着した図示しない付着物（例えば、泥土、泥水）が周辺に飛散することを抑制できる。特に、第２カバーシート５０が第１カバーシート４０とは別体に形成されたものであるので、第１カバーシート４０及び第２カバーシート５０を一体に形成した場合に比べて、カバーシート３０の取扱いが容易となる。また、フレーム部５２によって本体部５１の外縁形状を維持でき、例えば運搬対象Ｔが落下した際に本体部５１が当該落下している運搬対象Ｔに巻き込まれることを抑制できる。また、クレーンＫによって運搬位置まで運搬された運搬対象Ｔを把持具１０から解放する解放作業を行う場合に、第２カバーシート５０を折り畳んだ状態で運搬対象Ｔを視認しながら解放作業を行うことができる。よって、運搬対象Ｔを所望位置に正確に解放できると共に、解放された運搬対象Ｔと第２カバーシート５０とが接触することを回避しやすくなる。
【００４３】
（構成−カバー具−取付部）
図１に戻り、取付部６０は、カバーシート３０を把持部１１に対して着脱自在に取り付けるための取付手段であり、図１、図２に示すように、第１取付部６１、第２取付部６２、及び維持部６３を備えている。
【００４４】
（構成−カバー具−取付部−第１取付部）
第１取付部６１は、第１カバーシート４０を把持具１０（具体的には、支持部１４）に取り付けるためのものである。この第１取付部６１は、例えば公知の取付具（一例として、鋼製の環状の取付具）等を用いて構成されており、図２に示すように、第１カバーシート４０の下端部に設けられ、第１カバーシート４０に対して固定具等によって接続されている。
【００４５】
また、第１取付部６１の具体的な形状及び大きさについては任意であるが、実施の形態では、第１カバーシート４０と第２カバーシート５０との境界部との密封性を高めることが可能となるように設定することが好ましい。例えば、第１取付部６１の平面形状については円環状に設定している。また、第１取付部６１の径については、第１カバーシート４０の第２カバーシート５０の径と略同一に設定していると共に、第１取付部６１の高さについては、側方から見て第２カバーシート５０の一部と重複可能な長さに設定している。
【００４６】
また、第１取付部６１を支持部１４に対して取り付ける方法については任意であるが、実施の形態では、第１取付部６１を支持部１４に対して固定具（例えば、ネジ）等によって接続することにより、着脱自在に取り付けている。
【００４７】
（構成−カバー具−取付部−第２取付部）
第２取付部６２は、第２カバーシート５０を把持具１０（具体的には、支持部１４）に取り付けるためのものである。この第２取付部６２は、例えば公知の取付具（一例として、鋼製の環状の取付具）等を用いて構成されており、図２に示すように、第２カバーシート５０の上端部に設けられ、第２カバーシート５０に対して固定具等によって接続されている。
【００４８】
また、第２取付部６２の具体的な形状及び大きさについては任意であるが、実施の形態では、第１カバーシート４０と第２カバーシート５０との境界部との密封性を高めることが可能となるように設定することが好ましい。例えば、第２取付部６２の平面形状については円環状に設定している。また、第２取付部６２の径については、第１取付部の径よりも若干大きく（又は小さく）設定していると共に、第２取付部６２の高さについては、側方から見て第１カバーシート４０の一部と重複可能な長さに設定している。
【００４９】
また、第２取付部６２を支持部１４に対して取り付ける方法については任意であるが、実施の形態では、第２取付部６２を支持部１４に対して固定具（例えば、ネジ）等によって接続することにより、着脱自在に取り付けている。
【００５０】
（構成−カバー具−取付部−維持部）
図１に戻り、維持部６３は、第１カバーシート４０によって把持具１０が覆われている状態を維持するためのものであり、図１に示すように、維持部本体６３ａ及び係合部６３ｂを備えている。このうち、維持部本体６３ａは、維持部６３の基本構造体である。この維持部本体６３ａは、例えば公知の維持具（一例として、長尺なワイヤ）等を用いて構成されており、図１に示すように、外側から第１カバーシート４０を支持可能となるように複数設けられており、第１取付部６１に対して固定具等によって接続されている。また、係合部６３ｂは、維持部本体６３ａを把持具１０に対して接続するためのものである。この係合部６３ｂは、例えば公知の着脱自在な係合部材（一例として、フック状の係合部材）等を用いて構成されており、図１に示すように、各維持部本体６３ａの上端部に取り付けられており、把持具１０の支持部１４の上側部分（具体的には、支持部１４における第１カバーシート４０の上端部よりも上側の部分）に設けられた被係合部１６（例えば、リング状の被係合部１６）に対して接続されている。
【００５１】
このような取付部６０の構成により、カバーシート３０を把持具１０に対して着脱自在に取り付けることができ、状況に応じてカバーシート３０の取り付け又は取り外しを簡易に行うことが可能となる。
【００５２】
（構成−カバー具−折畳部）
折畳部７０は、第２カバーシート５０を折り畳むための折畳手段であり、図１に示すように、操作部７１及び滑車部７２を備えている。
【００５３】
このうち、操作部７１は、第２カバーシート５０を折り畳む操作を行うためのものであり、例えば公知のロープ材等を用いて構成され、第２カバーシート５０の下端部に対して固定具等によって複数接続されている（実施の形態では、２つ接続されている）。また、滑車部７２は、後述する図５の作業者Ｍの操作によって操作部７１に加えられた力の向きを変更するためのものである。この滑車部７２は、例えば公知の滑車等を用いて構成され、図１に示すように第２取付部６２に複数取り付けられており（実施の形態では、２つ接続されている）、具体的には、各滑車部７２が各操作部７１に掛け回されるように取り付けられている。
【００５４】
このような折畳部７０の構成により、引上げ状態において第２カバーシート５０を容易且つ安全に折り畳むことができ、カバー具２０の使用性を高めやすくなる。
【００５５】
（運搬方法）
次に、把持具１０及びカバー具２０を用いた運搬方法について説明する。ここで、「運搬方法」とは、掘削孔１内に位置する運搬対象ＴをクレーンＫに吊り下げられた把持具１０で把持しながら運搬位置まで運搬する方法を意味する。なお、運搬方法の前提としては、掘削孔１内に運搬対象Ｔが存在するものとして説明する。
【００５６】
図３は、運搬方法の取付工程を示す図である。図４は、運搬方法の運搬工程を示す図である。図５は、運搬方法の巻上工程を示す図である。図６は、運搬方法の解放工程を示す図である。図３から図６に示すように、実施の形態に係る運搬方法は、準備工程、把持工程、取付工程、運搬工程、巻上工程、及び解放工程を含んでいる。
【００５７】
（運搬方法−準備工程）
まず、準備工程について説明する。準備工程は、運搬対象Ｔを運搬する準備を行うための工程である。
【００５８】
具体的には、クレーンＫの先端が掘削孔１の直上に位置するようにクレーンＫを配置する。また、接続部材１５を介してクレーンＫの先端部と把持具１０とを相互に接続する。また、掘削孔１又はその近傍にカバー具２０を配置する。
【００５９】
（運搬方法−把持工程）
次に、把持工程について説明する。把持工程は、準備工程の後に、把持具１０によって掘削孔１内に位置する運搬対象Ｔを把持する工程である。
【００６０】
具体的には、まず、クレーンＫによって把持具１０が運搬対象Ｔを把持できる位置まで把持具１０を下方又は水平方向に移動させる。次に、作業者Ｍが把持具１０の操作ワイヤの操作を行うことにより、把持具１０の把持部１１によって運搬対象Ｔを把持させる。次いで、把持部１１によって運搬対象Ｔが把持されている状態を維持しながら、クレーンＫによって取付工程を行うことが可能な位置（具体的には、掘削孔１内における上方側の位置）まで把持部１１を上方又は水平方向に移動させる（これにより、把持工程から解放工程に至るまで、引上げ状態となる）。
【００６１】
（運搬方法−取付工程）
次に、取付工程について説明する。取付工程は、把持工程の後に、カバー具２０を把持具１０に対して取り付ける工程である。
【００６２】
具体的には、まず、作業者Ｍがカバー具２０の第１取付部６１及び第２取付部６２を把持具１０に対して取り付けることにより、第１カバーシート４０及び第２カバーシート５０を把持具１０に対して取り付ける。次に、作業者Ｍがカバー具２０の操作部７１を滑車部７２及び第２カバーシート５０の下端部に対して取り付ける（ただし、これに限らず、例えば、操作部７１を滑車部７２又は第２カバーシート５０に対してあらかじめ取り付けいてもよい）。次に、第１カバーシート４０の内側シート片４１ａ〜４１ｄによって把持具１０における接続部１３から開閉部１２の上端部に至る部分が覆われるように、作業者Ｍが内側シート片４１ａ〜４１ｄを配置する。次いで、図３に示すように、第１カバーシート４０の外側シート片４２ａ〜４２ｄによって把持具１０の上記部分が覆われるように、作業者Ｍが外側シート片４２ａ〜４２ｄを配置する。そして、作業者Ｍがカバー具２０の維持部本体６３ａを第１取付部６１に対して接続すると共に、維持部本体６３ａに接続された係合部６３ｂを把持具１０の被係合部１６に対して接続する。
【００６３】
（運搬方法−運搬工程）
次に、運搬工程について説明する。運搬工程は、取付工程の後に、運搬対象Ｔを掘削孔１よりも上方位置まで引き上げた後に運搬位置まで運搬する工程である。
【００６４】
具体的には、まず、図４（ａ）に示すように、クレーンＫによって運搬対象Ｔを掘削孔１よりも上方位置まで引き上げる。この場合において、第１カバーシート４０によって把持具１０の一部が覆われるので、運搬対象Ｔが掘削孔１に落下しても第１カバーシート４０によって飛散物が掘削孔１の外部に飛散することが抑制される。次に、図４（ｂ）に示すように、引上げ状態において、クレーンＫによって運搬対象Ｔを運搬位置まで移動させる。この場合において、第２カバーシート５０によって運搬対象Ｔの略全体が覆われることで、上記移動の際に運搬対象Ｔに付着した付着物が周辺に飛散することが抑制される。
【００６５】
（運搬方法−巻上工程）
次に、巻上工程について説明する。巻上工程は、運搬工程の後に、第２カバーシート５０の少なくとも一部を巻き上げる工程である。
【００６６】
具体的には、図５に示すように、作業者Ｍがカバー具２０の２つの操作部７１を引き下げることにより、第２カバーシート５０の一部を巻き上げる。ここで、第２カバーシート５０の巻き上げ量については任意であるが、例えば、解放工程を行う際に第２カバーシート５０が落下する運搬対象Ｔに巻き込まれることを回避できる程度の量に設定することが好ましく、一例として、運搬対象Ｔの略全体が外部に露出する程度の量に設定してもよい。
【００６７】
（運搬方法−解放工程）
続いて、解放工程について説明する。解放工程は、巻上工程の後に、把持具１０によって把持された運搬対象Ｔを解放する工程である。
【００６８】
具体的には、図６に示すように、作業者Ｍが把持具１０の操作ワイヤの操作を行うことにより、把持具１０の把持部１１による運搬対象Ｔの把持状態を解除することで、当該運搬対象Ｔを落下させて運搬位置に設けられた廃棄用収容部Ｄに収容する。これにて、運搬対象Ｔの運搬を終了する。
【００６９】
なお、上述した運搬対象Ｔの運搬を繰り返して行ってもよい。その場合の運搬方法については任意であるが、例えば、まず、解放工程後にクレーンＫによって把持具１０及びカバー具２０を掘削孔１まで移動させ、把持具１０からカバー具２０を取り外した後に把持工程、取付工程、運搬工程、巻上工程、及び解放工程を順次行う、というサイクルを繰り返すことにより実施してもよい。
【００７０】
（実施の形態の効果）
このように実施の形態によれば、引上げ状態において運搬対象Ｔが掘削孔１に落下することにより飛散物が掘削孔１の外部に飛散することをカバーシート３０によって抑制可能となるように、カバーシート３０を構成したので、引上げ状態において運搬対象Ｔが掘削孔１に落下しても、カバーシート３０によって飛散物が掘削孔１の外部に飛散することを抑制でき、掘削孔１付近の敷地付近において飛散物による被害が生じることを回避できる。また、カバーシート３０を把持具１０に対して着脱自在に取り付けるための取付部６０を備えるので、カバーシート３０を把持具１０に対して着脱自在に取り付けることができ、状況に応じてカバーシート３０の取り付け又は取り外しを簡易に行うことが可能となる。
【００７１】
また、カバーシート３０が、複数のシート片からなる第１カバーシート４０であって、引上げ状態において少なくとも把持具１０の一部を覆うことが可能な第１カバーシート４０を備えるので、引上げ状態において運搬対象Ｔが掘削孔１に落下しても、第１カバーシート４０によって飛散物が掘削孔１の外部に飛散することを抑制でき、掘削孔１付近の敷地付近において飛散物による被害が生じることを回避できる。また、カバーシート３０が、引上げ状態において少なくとも運搬対象Ｔの一部を覆うことが可能な第２カバーシート５０を備えるので、引上げ状態において第２カバーシート５０によって運搬対象Ｔの略全体を覆うことができ、運搬対象ＴをクレーンＫによって掘削孔１の外部に位置する運搬位置まで運搬する際に運搬対象Ｔに付着した付着物（例えば、泥土、泥水）が周辺に飛散することを抑制できる。さらに、第１カバーシート４０とは別体に設けられた第２カバーシート５０であるので、第１カバーシート４０及び第２カバーシート５０を一体に形成した場合に比べて、カバーシート３０の取扱いが容易となる。
【００７２】
また、複数のシート片が、複数の内側シート片４１と、複数の内側シート片４１よりも外側に配置された複数の外側シート片４２と、を備えるので、第１カバーシート４０を二層構造に形成でき、第１カバーシート４０を一層構造に形成した場合に比べて飛散物が掘削孔１の外部に飛散することを抑制しやすくなる。
【００７３】
また、第２カバーシート５０が、本体部５１と、本体部５１の外縁形状を維持するためのフレーム部５２と、を備えるので、フレーム部５２によって本体部５１の外縁形状を維持でき、例えば運搬対象Ｔが落下した際に本体部５１が当該落下している運搬対象Ｔに巻き込まれることを抑制できる。
【００７４】
また、第２カバーシート５０を、折り畳み可能に形成したので、クレーンＫによって運搬位置まで運搬された運搬対象Ｔを把持具１０から解放する解放作業を行う場合に、第２カバーシート５０を折り畳んだ状態で運搬対象Ｔを視認しながら解放作業を行うことができる。よって、運搬対象Ｔを所望位置に正確に解放できると共に、解放された運搬対象Ｔと第２カバーシート５０とが接触することを回避しやすくなる。
【００７５】
また、第２カバーシート５０を折り畳むための折畳部７０を備えたので、引上げ状態において第２カバーシート５０を容易且つ安全に折り畳むことができ、カバー具２０の使用性を高めやすくなる。
【００７６】
また、第２カバーシート５０を、引上げ状態において運搬対象Ｔを視認可能な材料にて形成したので、引上げ状態において運搬対象Ｔを確実に視認することができ、クレーンＫによる運搬対象Ｔの引き上げや運搬を安全に行うことが可能となる。
【００７７】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００７８】
（解決しようとする課題や発明の効果について）
まず、発明が解決しようとする課題や発明の効果は、前記した内容に限定されるものではなく、本発明によって、前記に記載されていない課題を解決することや、前記に記載されていない効果を奏することもできる。また、記載されている課題の一部のみを解決することや、記載されている効果の一部のみを奏することがある。
【００７９】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００８０】
（カバー具について）
上記実施の形態では、カバー具２０が折畳部７０を備えていると説明したが、これに限らず、例えば、折畳部７０を省略してもよい。
【００８１】
また、上記実施の形態では、カバー具２０が、カバーシート３０、取付部６０、及び折畳部７０を備えていると説明したが、これに限らない。図７は、カバー具の変形例を示す図であって、図１に対応する領域を示す図である。例えば、図７に示すように、上述した構成に加えて、絞り部８０を備えてもよい。絞り部８０は、第１カバーシート４０の一部を絞り込むことにより第１カバーシート４０と把持具１０との相互間に形成される隙間を狭め又はなくすための絞り手段である。この絞り部８０は、例えば公知の絞り部材（一例として、ロープ又はチェーン）等を用いて構成されており、図７に示すように、第１カバーシート４０の側部の一部の外側面（例えば、当該側部における支持部１４と開閉部１２との境界部の近傍部分の外側面）を覆い、且つ上記隙間を狭め又はなくすように絞り込むように設け、第１カバーシート４０に対して公知の結び方法又は固定具等によって接続されている。このような絞り部８０の構成により、上記隙間を狭め又はなくすことができ、上記隙間を介して飛散物が掘削孔１の外部に飛散することを抑制できる。
【００８２】
（カバーシートについて）
上記実施の形態では、カバーシート３０が第２カバーシート５０を備えていると説明したが、これに限らず、例えば、第２カバーシート５０を省略してもよい。この場合には、折畳部７０を省略できる。また、運搬方法において、取付工程での第２カバーシート５０を取り付ける作業を省略できると共に、巻上工程を省略できる。
【００８３】
また、上記実施の形態では、第２カバーシート５０が、第１カバーシート４０と別体に形成されていると説明したが、これに限らない。例えば、第２カバーシート５０が、第１カバーシート４０の少なくとも一部と一体に形成されてもよく、一例として、第２カバーシート５０が、第１カバーシート４０の内側シート片４１ａ〜４１ｄ又は外側シート片４２ａ〜４２ｄのいずれかと一体に形成されてもよい。
【００８４】
（第１カバーシートについて）
上記実施の形態では、第１カバーシート４０が把持具１０の一部のみを覆うように構成されていると説明したが、これに限らず、例えば、第１カバーシート４０が把持手段の全体を覆うように構成してもよい。
【００８５】
また、上記実施の形態では、第１カバーシート４０が、内側シート片４１及び外側シート片４２を備えていると説明したが、これに限らず、例えば、内側シート片４１又は外側シート片４２のいずれか一方のみを備えてもよい。
【００８６】
また、上記実施の形態では、内側シート片４１の設置数が４つであると説明したが、これに限らず、例えば、３つ未満であってもよく、又は５つ以上であってもよい。また、外側シート片４２の設置数が４つであると説明したが、これに限らず、３つ未満であってもよく、又は５つ以上であってもよい。
【００８７】
（第２カバーシートについて）
上記実施の形態では、第２カバーシート５０がフレーム部５２を備えていると説明したが、これに限らず、例えば、フレーム部５２を省略してもよい。
【００８８】
また、上記実施の形態では、第２カバーシート５０の本体部５１が、１枚のシート材にて構成されていると説明したが、これに限らず、例えば、複数枚のシート材にて構成されてもよい。
【００８９】
（付記）
付記１のカバー具は、掘削孔内に位置する運搬対象を引き上げるクレーンに吊り下げられた把持手段に取り付けられるカバー具であって、複数のシート片を含むカバーシートであって、前記把持手段によって把持された前記運搬対象が前記クレーンによって引き上げられた引上げ状態において、少なくとも前記把持手段の一部を覆うことが可能なカバーシートと、前記カバーシートを前記把持手段に対して着脱自在に取り付けるための取付手段と、を備え、前記引上げ状態において前記運搬対象が前記掘削孔に落下することにより飛散物が前記掘削孔の外部に飛散することを前記カバーシートによって抑制可能となるように、前記カバーシートを構成した。
【００９０】
付記２のカバー具は、付記１に記載のカバー具において、前記カバーシートは、前記複数のシート片からなる第１カバーシートであって、前記引上げ状態において少なくとも前記把持手段の一部を覆うことが可能な第１カバーシートと、前記第１カバーシートとは別体に設けられた第２カバーシートであって、前記引上げ状態において少なくとも前記運搬対象の一部を覆うことが可能な第２カバーシートと、を備える。
【００９１】
付記３のカバー具は、付記２に記載のカバー具において、前記複数のシート片は、複数の内側シート片と、前記複数の内側シート片よりも外側に配置された複数の外側シート片と、を備える。
【００９２】
付記４のカバー具は、付記２又は３に記載のカバー具において、前記第２カバーシートは、本体部と、前記本体部の外縁形状を維持するためのフレーム部と、を備える。
【００９３】
付記５のカバー具は、付記２から４のいずれか一項に記載のカバー具において、前記第２カバーシートを、折り畳み可能に形成した。
【００９４】
付記６のカバー具は、付記５に記載のカバー具において、前記第２カバーシートを折り畳むための折畳手段を備えた。
【００９５】
付記７のカバー具は、付記２から６のいずれか一項に記載のカバー具において、前記第２カバーシートを、前記引上げ状態において前記運搬対象を視認可能な材料にて形成した。
【００９６】
（付記の効果）
付記１に記載のカバー具によれば、引上げ状態において運搬対象が掘削孔に落下することにより飛散物が掘削孔の外部に飛散することをカバーシートによって抑制可能となるように、カバーシートを構成したので、引上げ状態において運搬対象が掘削孔に落下しても、カバーシートによって飛散物が掘削孔の外部に飛散することを抑制でき、掘削孔付近の敷地付近において飛散物による被害が生じることを回避できる。また、カバーシートを把持手段に対して着脱自在に取り付けるための取付手段を備えるので、カバーシートを把持手段に対して着脱自在に取り付けることができ、状況に応じてカバーシートの取り付け又は取り外しを簡易に行うことが可能となる。
【００９７】
付記２に記載のカバー具によれば、カバーシートが、複数のシート片からなる第１カバーシートであって、引上げ状態において少なくとも把持手段の一部を覆うことが可能な第１カバーシートを備えるので、引上げ状態において運搬対象が掘削孔に落下しても、第１カバーシートによって飛散物が掘削孔の外部に飛散することを抑制でき、掘削孔付近の敷地付近において飛散物による被害が生じることを回避できる。また、カバーシートが、引上げ状態において少なくとも運搬対象の一部を覆うことが可能な第２カバーシートを備えるので、引上げ状態において第２カバーシートによって運搬対象の略全体を覆うことができ、運搬対象をクレーンによって掘削孔の外部に位置する運搬位置まで運搬する際に運搬対象に付着した付着物（例えば、泥土、泥水）が周辺に飛散することを抑制できる。さらに、第１カバーシートとは別体に設けられた第２カバーシートであるので、第１カバーシート及び第２カバーシートを一体に形成した場合に比べて、カバーシートの取扱いが容易となる。
【００９８】
付記３に記載のカバー具によれば、複数のシート片が、複数の内側シート片と、複数の内側シート片よりも外側に配置された複数の外側シート片と、を備えるので、第１カバーシートを二層構造に形成でき、第１カバーシートを一層構造に形成した場合に比べて飛散物が掘削孔の外部に飛散することを抑制しやすくなる。
【００９９】
付記４に記載のカバー具によれば、第２カバーシートが、本体部と、本体部の外縁形状を維持するためのフレーム部と、を備えるので、フレーム部によって本体部の外縁形状を維持でき、例えば運搬対象が落下した際に本体部が当該落下している運搬対象に巻き込まれることを抑制できる。
【０１００】
付記５に記載のカバー具によれば、第２カバーシートを、折り畳み可能に形成したので、クレーンによって運搬位置まで運搬された運搬対象を把持手段から解放する解放作業を行う場合に、第２カバーシートを折り畳んだ状態で運搬対象を視認しながら解放作業を行うことができる。よって、運搬対象を所望位置に正確に解放できると共に、解放された運搬対象と第２カバーシートとが接触することを回避しやすくなる。
【０１０１】
付記６に記載のカバー具によれば、第２カバーシートを折り畳むための折畳手段を備えたので、引上げ状態において第２カバーシートを容易且つ安全に折り畳むことができ、カバー具の使用性を高めやすくなる。
【０１０２】
付記７に記載のカバー具によれば、第２カバーシートを、引上げ状態において運搬対象を視認可能な材料にて形成したので、引上げ状態において運搬対象を確実に視認することができ、クレーンによる運搬対象の引き上げや運搬を安全に行うことが可能となる。
【符号の説明】
【０１０３】
１  掘削孔
１０  把持具
１１  把持部
１１ａ  シェル部
１２  開閉部
１３  接続部
１４  支持部
１５  接続部材
１６  被係合部
２０  カバー具
３０  カバーシート
４０  第１カバーシート
４１、４１ａ〜４１ｄ  内側シート片
４２、４２ａ〜４２ｄ  外側シート片
５０  第２カバーシート
５１  本体部
５２  フレーム部
６０  取付部
６１  第１取付部
６２  第２取付部
６３  維持部
６３ａ  維持部本体
６３ｂ  係合部
７０  折畳部
７１  操作部
７２  滑車部
８０  絞り部
Ｄ  廃棄用収容部
Ｍ  作業者
Ｋ  クレーン
Ｔ  運搬対象
【図１】
2020090853.tif 000003
【図２】
2020090853.tif 000004
【図３】
2020090853.tif 000005
【図４】
2020090853.tif 000006
【図５】
2020090853.tif 000007
【図６】
2020090853.tif 000008
【図７】
2020090853.tif 000009